【手続補正書】
【提出日】令和1年5月31日(2019.5.31)
【手続補正１】
【補正対象書類名】明細書
【補正対象項目名】０００７
【補正方法】変更
【補正の内容】
【０００７】
上記した目的を達成するために、本発明の請求項１に係る２軸ヒンジは、端末機器の第１筐体と第２筐体を互いに開閉可能に連結する４軸から成る２軸ヒンジであって、前記第１筐体側へ固着される第１取付ブラケットへその一端部側を取り付けられる第１Ａヒンジシャフトと、前記第２筐体側へ固着される第２取付ブラケットへ同じくその一端部側を取り付けられる第２Ａヒンジシャフトと、前記第１Ａヒンジシャフトと前記第２Ａヒンジシャフトとを互いに平行状態を保ちつつ相互の軸間距離を調節可能かつ回転可能に半径方向へ分離しないように連結する第１半径方向連結手段と、を有する第１ヒンジ部と、前記第１Ａヒンジシャフトの軸方向に配置された第１Ｂヒンジシャフトと、前記第２Ａヒンジシャフトの軸方向に配置された第２Ｂヒンジシャフトと、前記第１Ｂヒンジシャフトと前記第２Ｂヒンジシャフトを平行状態を保ちつつ回転可能に半径方向へ分離しないように連結する第２半径方向連結手段と、前記第１Ｂヒンジシャフトと前記第２Ｂヒンジシャフトの回転を制御する回転制御手段と、を有する、第２ヒンジ部と、前記第１Ａヒンジシャフト及び前記第１Ｂヒンジシャフトと前記第２Ａヒンジシャフトと前記第２Ｂヒンジシャフトの各自由端側を互いに軸方向へ分離しないように係止するジョイントホルダーと、前記ジョイントホルダーに保持されつつ前記第１Ａヒンジシャフトと前記第１Ｂヒンジシャフトの軸間距離の変動を吸収して回転駆動力を前記第１Ｂヒンジシャフトと前記第２Ｂヒンジシャフトへ伝達する第１及び第２ジョイントピースと、を有する軸方向連結手段と、を備えたことを特徴とする。
【手続補正２】
【補正対象書類名】明細書
【補正対象項目名】００１７
【補正方法】変更
【補正の内容】
【００１７】
【図１】本発明に係る２軸ヒンジを取り付けた、例えば端末機器の１例であるノートパソコンを示し、(ａ)は第２筐体を第１筐体に対して開いた状態を前方から見た斜視図であり、（ｂ)は第１筐体と第２筐体を閉じた状態を後方から見た斜視図である。
【図２】本発明に係る２軸ヒンジの一実施例の一部破断拡大斜視図である。
【図３】図２に示した２軸ヒンジの分解斜視図である。
【図４】図３とは異なった方向から見た２軸ヒンジの分解斜視図である。
【図５】図２〜図４に示した２軸ヒンジにおける第１Ａヒンジシャフト（第２Ａヒンジシャフトも同様）の拡大説明図であり、（ａ）はその軸方向に沿った拡大断面図、（ｂ）はその拡大平面図、（ｃ）はその拡大正面図、（ｄ）はその拡大左側面図、（ｅ）はその拡大右側面図、（ｆ）はその拡大底面図である。
【図６】図２〜図４に示した２軸ヒンジにおいて、その第１半径方向連結手段を構成する軸部保持部材のうちの１枚を示す正面図である。
【図７】図２〜図４に示した２軸ヒンジにおけるジョイントホルダーの拡大説明図であり、（ａ）はその拡大正面図、（ｂ）はその拡大左側面図、（ｃ）はその拡大右側面図、である。
【図８】図２〜図４に示した２軸ヒンジにおける第１ジョイントピース（第２ジョイントピースも同様）の拡大説明図であり、（ａ）はその拡大正面図、（ｂ）はその拡大左側面図、（ｃ）はその拡大右側面図、である。
【図９】図２〜図４に示した２軸ヒンジにおける第１Ｂヒンジシャフト（第２Ｂヒンジシャフトも同様）の拡大説明図であり、（ａ）はその拡大正面図、（ｂ）はその拡大平面図、（ｃ）はその拡大左側面図である。
【図１０】図２〜図４に示した２軸ヒンジにおけるギアサポート部材の拡大説明図であり、（ａ）はその拡大正面図、（ｂ）はその拡大右側面図、（ｃ）はその拡大Ｃ−Ｃ断面図である。
【図１１】図２〜図４に示した２軸ヒンジにおける同期回転手段で用いられる中間ギアの拡大説明図であり、（ａ）はその拡大平面図、（ｂ）はその拡大正面図、（ｃ）はその拡大平面図である。
【図１２】図２〜図４に示した２軸ヒンジにおける第１及び第２吸込み手段で用いられるカムプレートの拡大説明図であり、（ａ）はその拡大斜視図、（ｂ）はその拡大左側面図、（ｃ）はその拡大正面図、（ｄ）はその拡大右側面図である。
【図１３】図２〜図４に示した２軸ヒンジにおける第１及び第２吸込み手段で用いられる第１カムフォロワー（第２カムフォロワーも同様）の拡大説明図であり、（ａ）はその拡大斜視図、（ｂ）はその拡大左側面図、（ｃ）はその拡大正面図、（ｄ）はその拡大右側面図である。
【図１４】図２〜図４に示した２軸ヒンジにおける取付保持板の拡大説明図であり、（ａ）はその拡大右側面図、（ｂ）はその拡大背面図である。
【図１５】図２〜図４に示した２軸ヒンジにおけるヒンジケースの拡大説明図であり、（ａ）はその軸方向に沿った拡大断面図、（ｂ）はその拡大左側面図、（ｃ）はその拡大Ｄ−Ｄ断面図、（ｂ）はその拡大右側面図である。
【図１６】図２〜図４に示した２軸ヒンジにおける軸方向連結手段の部分を説明する正面図である。
【図１７】図１６に示した軸方向連結手段の部分を説明する縦断面図である。
【図１８】図１５に示したヒンジケースへ第２ヒンジ部を取り付けた状態を説明する縦断面図である。
【図１９】本発明に係る２軸ヒンジの動作を示す説明図であり、（ａ）は第１筐体に対して第２筐体を閉じた状態における２軸ヒンジの側面図、（ｂ）はその状態における第１Ａ及び第２Ａヒンジシャフトと第１及び第２ジョイントピースとの回転位置を示す断面図（その断面位置は、図２中に示したＡ−Ａ線に沿った位置。以下、同様。）、（ｃ）はその状態における第１Ｂ及び第２Ｂヒンジシャフトと第１及び第２ジョイントピースとの回転位置を示す断面図（その断面位置は、図２中に示したＢ−Ｂ線に沿った位置。以下、同様。）である。
【図２０】本発明に係る２軸ヒンジの動作を示す説明図であり、（ａ）は第１筐体に対して第２筐体を９０°開いた状態における２軸ヒンジの側面図、（ｂ）はその状態における第１Ａ及び第２Ａヒンジシャフトと第１及び第２ジョイントピースとの回転位置を示す断面図、（ｃ）はその状態における第１Ｂ及び第２Ｂヒンジシャフトと第１及び第２ジョイントピースとの回転位置を示す断面図である。
【図２１】本発明に係る２軸ヒンジの動作を示す説明図であり、（ａ）は第１筐体に対して第２筐体を１８０°開いた状態における２軸ヒンジの側面図、（ｂ）はその状態における第１Ａ及び第２Ａヒンジシャフトと第１及び第２ジョイントピースとの回転位置を示す断面図、（ｃ）はその状態における第１Ｂ及び第２Ｂヒンジシャフトと第１及び第２ジョイントピースとの回転位置を示す断面図である。
【図２２】本発明に係る２軸ヒンジの動作を示す説明図であり、（ａ）は第１筐体に対して第２筐体を２７０°開いた状態における２軸ヒンジの側面図、（ｂ）はその状態における第１Ａ及び第２Ａヒンジシャフトと第１及び第２ジョイントピースとの回転位置を示す断面図、（ｃ）はその状態における第１Ｂ及び第２Ｂヒンジシャフトと第１及び第２ジョイントピースとの回転位置を示す断面図である。
【図２３】本発明に係る２軸ヒンジの動作を示す説明図であり、（ａ）は第１筐体に対して第２筐体を３６０°開いた状態における２軸ヒンジの側面図、（ｂ）はその状態における第１Ａ及び第２Ａヒンジシャフトと第１及び第２ジョイントピースとの回転位置を示す断面図、（ｃ）はその状態における第１Ｂ及び第２Ｂヒンジシャフトと第１及び第２ジョイントピースとの回転位置を示す断面図である。